(57)【要約】      （修正有）【課題】引張り方向および捩れ方向の外力に対して光ケーブルの端部を確実にクロージャ側に固定することが可能な光ケーブル固定具および光ケーブル固定方法を提供する。【解決手段】光ケーブルのスロットに形成され光ファイバが収納される収納溝に挿入可能な弾性保持部を有する第一の保持手段と、第一の保持手段との合体により弾性保持部と接触し弾性保持部を収納溝の内壁面へ押付ける突起部を有する第二の保持手段を備える。第一の保持手段の弾性保持部は、第二の保持手段の突起部との接触によりスロットの収納溝の内壁面に押付けられるため、第一の保持手段とスロットとの結合強度が高くなる。スロットとの結合強度が高められた第一の保持手段は第二の保持手段を介してクロージャ側に固定され、光ケーブルの端部における引張り方向および捩れ方向の固定強度が高められる。【選択図】図１
2008292512.tif 000002
【特許請求の範囲】
【請求項１】
光ケーブルの収納溝付スペーサに形成され光ファイバが収納される収納溝に挿入可能な弾性保持部を有する第一の保持手段と、前記光ケーブルの端部が収納されるクロージャ側に固定され前記第一の保持手段との合体により前記弾性保持部と接触し該弾性保持部を前記収納溝の内壁面へ押付ける突起部を有する第二の保持手段と、を備えたことを特徴とする光ケーブル固定具。
【請求項２】
前記弾性保持部の前記突起部が接触する部位は、クサビ状に形成されていることを特徴とする請求項１に記載の光ケーブル固定具。
【請求項３】
前記弾性保持部および前記突起部は前記収納溝の数に応じて形成されていることを特徴とする請求項１または請求項２に記載の光ケーブル固定具。
【請求項４】
前記第一の保持手段および前記第二の保持手段には前記クロージャ側に固定される前記光ケーブルのテンションメンバが挿通される挿通孔が形成されていることを特徴とする請求項１ないし請求項３のいずれかに記載の光ケーブル固定具。
【請求項５】
前記第一の保持手段および前記第二の保持手段には前記光ケーブルの軸心まわり方向の捩れを防止する捩れ防止手段が形成されていることを特徴とする請求項１ないし請求項４のいずれかに記載の光ケーブル固定具。
【請求項６】
光ファイバが収納される収納溝付スペーサの収納溝に挿入可能な弾性保持部を有する第一の保持手段を光ケーブルの端部に装着し、前記光ケーブルの端部が収納されるクロージャ側に固定される第二の保持手段と前記第一の保持手段を合体させ前記第二の保持手段の突起を前記弾性保持部に接触させることにより該弾性保持部を前記収納溝の内壁面に押付けることを特徴とする光ケーブル固定方法。
【発明の詳細な説明】
【技術分野】
【０００１】
この発明は、光ケーブルの端部をクロージャ側に固定するための固定具に関し、とくに光ケーブルの端部を確実にクロージャ側に固定するための固定具および固定方法に関する。
【背景技術】
【０００２】
架空通信線路における光ケーブル同士の接続には、クロージャ（接続分岐箱）が用いられている。クロージャ内では、光ケーブルの端部外周面およびテンションメンバがクロージャ側に固定された部材に保持されている。光ケーブルの端部をクロージャ内で固定する技術として下記特許文献１が知られている。特許文献１の固定方法は、光ケーブルの樹脂系収納溝付スペーサを上下方向からクランプ部材にて押さえるようにしたものである。
【特許文献１】特開平９−６１６４１号公報
【発明の開示】
【発明が解決しようとする課題】
【０００３】
しかし、特許文献１の固定方法においては、光ケーブルの被覆の外周表面をクランプ部材によって上下方向から押さえるのみなので、光ケーブルの軸方向の固定強度が不十分となり、光ケーブルに作用する引張り力により光ケーブルの端部がクロージャ内でクランプ部材から外れやすいという問題がある。また、クランプ部材は光ケーブルの被覆の外周表面のみを押さえているので、光ケーブルの軸心周り方向の固定強度も不十分となり、光ケーブルの端部は軸心周り方向に捩れやすいという問題がある。
【０００４】
そこでこの発明は、引張り方向および捩れ方向の外力に対して光ケーブルの端部を確実にクロージャ側に固定することが可能な光ケーブル固定具および光ケーブル固定方法を提供することを目的とする。
【課題を解決するための手段】
【０００５】
上記目的を達成するために請求項１に記載の発明は、光ケーブルの収納溝付スペーサに形成され光ファイバが収納される収納溝に挿入可能な弾性保持部を有する第一の保持手段と、前記光ケーブルの端部が収納されるクロージャ側に固定され前記第一の保持手段との合体により前記弾性保持部と接触し該弾性保持部を前記収納溝の内壁面へ押付ける突起部を有する第二の保持手段と、を備えたことを特徴とする光ケーブル固定具である。
（作用）
収納溝に挿入された第一の保持手段の弾性保持部は、第二の保持手段の突起部との接触によりスロットの収納溝の内壁面に押付けられることになり、第一の保持手段とスロットとの結合強度が高くなる。スロットとの結合強度が高められた第一の保持手段は第二の保持手段を介してクロージャ側に固定されることになり、光ケーブルの端部における引張り方向および捩れ方向の固定強度が高められる。
【０００６】
請求項２に記載の発明は、請求項１に記載の光ケーブル固定具において、前記弾性保持部の前記突起部が接触する部位は、クサビ状に形成されていることを特徴としている。
【０００７】
請求項３に記載の発明は、請求項１または請求項２に記載の光ケーブル固定具において、前記弾性保持部および前記突起部は前記収納溝の数に応じて形成されていることを特徴としている。
【０００８】
請求項４に記載の発明は、請求項１ないし請求項３のいずれかに記載の光ケーブル固定具において、前記第一の保持手段および前記第二の保持手段には前記クロージャ側に固定される前記光ケーブルのテンションメンバが挿通される挿通孔が形成されていることを特徴としている。
【０００９】
請求項５に記載の発明は、請求項１ないし請求項４のいずれかに記載の光ケーブル固定具において、前記第一の保持手段および前記第二の保持手段には前記光ケーブルの軸心まわり方向の捩れを防止する捩れ防止手段が形成されていることを特徴としている。
【００１０】
請求項６に記載の発明は、光ファイバが収納される収納溝付スペーサの収納溝に挿入可能な弾性保持部を有する第一の保持手段を光ケーブルの端部に装着し、前記光ケーブルの端部が収納されるクロージャ側に固定される第二の保持手段と前記第一の保持手段を合体させ前記第二の保持手段の突起を前記弾性保持部に接触させることにより該弾性保持部を前記収納溝の内壁面に押付けることを特徴とする光ケーブル固定方法である。
【発明の効果】
【００１１】
請求項１および請求項６に記載の発明によれば、光ケーブルの端部における引張り方向および捩れ方向の固定強度が高められるので、光ケーブルに引張り方向や捩れ方向の外力が作用しても、光ケーブルの端部がクロージャ内で光ケーブル固定具から外れることは防止され、光ケーブルの通信機能の信頼性を高めることができる。
【００１２】
請求項２に記載の発明によれば、弾性保持部の突起部が接触する部位はクサビ状に形成されているので、クサビ効果により弾性保持部を大きな力で収納溝の内壁面に押付けることができ、第一の保持手段と光ケーブルとの結合強度を高めることができる。
【００１３】
請求項３に記載の発明によれば、弾性保持部および突起部は、収納溝の数に応じて形成されているので、弾性保持部と収納溝との接触を複数個所とすることができ、第一の保持手段と光ケーブルとの結合強度を高めることができる。
【００１４】
請求項４に記載の発明によれば、テンションメンバは第一の保持手段および第二の保持手段の挿通孔を介してクロージャ側に固定されるので、収納溝付スペーサとテンションメンバの二つがクロージャ側に固定されることになり、光ケーブルの端部のクロージャ側への固定強度をさらに高めることができる。
【００１５】
請求項５に記載の発明によれば、第一の保持手段および第二の保持手段の捩れ防止手段により光ケーブルの軸心まわり方向の捩れを防止することができ、光ケーブルの捩れ方向の固定強度をさらに高めることができる。
【発明を実施するための最良の形態】
【００１６】
つぎに、この発明の実施の形態について図面を用いて詳しく説明する。
【００１７】
（実施の形態１）
図１ないし図７は、この発明の実施の形態１を示している。図６において、符号１は、光ケーブルを示しており、光ケーブル１の端部は、光ファイバの接続のためにクロージャ（接続分岐箱）１１に収納されている。クロージャ１１は、支持金具１２を介して架空通信線路用の吊線１０に吊下げられている。クロージャ１１内では、光ケーブル１と光ケーブル１´の光ファイバ同士が接続されている。図１に示すように、光ケーブル１は、シース２と、スロット３と、テンションメンバ４と、８心テープ６を有している。シース２は、光ケーブル１における最も外側に位置する被覆であり、スロット３などの内側部材を保護する機能を有する。
【００１８】
スロット３は、シース２の内側に位置する樹脂系の収納溝付スペーサであり、スロット３の軸心にはスロット３の軸方向の強度を補強するテンションメンバ４が設けられている。収納溝付スペーサとしてのスロット３には、光ファイバ７を有する８心テープ６を収納する複数の収納溝５が形成されている。この実施の形態においては、スロット３には周方向に等間隔に５つの収納溝５が形成されており、各収納溝５の断面形状はスロット３の外周面から軸芯に向かって延びている。各収納溝５は、光ケーブル１の軸方向に延びるにつれて光ケーブル１の軸心周り方向に捩じられるように形成されている。図４に示すように、収納溝５には溝底面５ｂから外方に向けて８心テープ６が１０段重ねで収納されている。８心テープ６は、図５に示すように、断面形状が長方形をしており、横方向に等間隔で配置された８本の光ファイバ７を有している。この実施の形態では、一つの収納溝５に８０本の光ファイバ７が収納されおり、光ケーブル１としては４００本の光ファイバ７を有している。
【００１９】
図１は、光ケーブル１の端部を固定するクロージャ１１の内部構造を示している。クロージャ１１内には、光ケーブル固定具２０が配置されている。光ケーブル固定具２０は、第一の保持手段３０と第二の保持手段３５とを有している。クロージャ１１側に固定されたベース金具２１は、略Ｌ字状に形成されており、光ケーブル１を固定するための柱状支持部２２を有している。柱状支持部２２には、水平方向に延びる貫通穴２３が形成されている。柱状支持部２２には、図３に示すように、頂面から軸方向に延びる雌ネジ２４が形成されている。雌ネジ２４の終端は、貫通穴２３の内周面に開口している。雌ネジ２４には、テンションメンバ４を固定するためのボルト４０が螺合されている。
【００２０】
図１に示すように、クロージャ１１内における光ケーブル１の端部は、最も外側に位置するシース２が所定の長さだけ剥がされており、テンションメンバ４がスロット３の端面から突出している。８心テープ６は、光ケーブル１の端部において収納溝５から全て引出されている。クロージャ１１内における光ケーブル１の端部の収納溝５は、第一の保持手段３０の弾性保持部３３を挿入するための収納スペースとして確保されている。第一の保持手段３０は、たとえば合成樹脂から構成されており、スロット３の端面と対向する第一の板状部３１を有している。第一の板状部３１は、上部がスロット３の外周面とほぼ同じ曲率をもつ円弧状に形成されている。第一の板状部３１の下面３１ａは、ベース金具２１の上面２１ａと対向する平坦面に形成されている。第一の板状部３１の下面３１ａは、第一の保持手段３０に捩れ方向（光ケーブル１の軸心回り方向）の外力が作用した際にはベース金具２１の上面２１ａとの接触により、第一の保持手段３０が捩られるのを防止する機能を有している。このように、第一の板状部３１の下面３１ａは、光ケーブル１１の軸心まわり方向の捩れを防止する捩れ防止手段としての機能を有する。
【００２１】
第一の板状部３１の一方の側面には、光ケーブル１の端部に向かって突出する弾性保持部３３が形成されている。弾性保持部３３は、スロット３の収納溝５の数と同じだけ形成されている。弾性保持部３３は、光ケーブル１の軸方向から収納溝５に挿入可能となっている。弾性保持部３３は、図２に示すように、対向して配置される第一の弾性片３３ａと第二の弾性片３３ｂとから構成されており、第一の弾性片３３ａと第二の弾性片３３ｂは、外力によりそれぞれ収納溝５の内壁面５ａ側に変位可能となっている。弾性保持部３３の内側は、第一の弾性片３３ａの傾斜面３３ｃと第二の弾性片３３ｂの傾斜面３３ｅによってクサビ状に形成されている。すなわち、第一の弾性片３３ａと第二の弾性片３３ｂとの間の隙間は、各傾斜面３３ｃ、３３ｅによって先端側にいくにつれて小となるクサビ状に形成されている。
【００２２】
第一の板状部３１の他方の側面には、各弾性保持部３３と対向する位置に角穴３２が開口している。角穴３２は、断面形状が四角形となっており、第一の板状部３２を光ケーブル１の軸方向に貫通している。角穴３２は、図２に示すように、弾性保持部３３の一方の弾性片３３ａと他方の弾性片３３ｂとの間に開口している。角穴３２は、後述する第二の保持手段３５の突起３８が挿入可能な大きさに形成されている。第一の板状部３１のほぼ中央には、光ケーブル１のテンションメンバ４が挿入可能な第一の固定用穴（挿通孔）３４が形成されている。第一の固定用穴３４は、第一の板状部３１を光ケーブル１の軸方向に貫通している。
【００２３】
第一の保持手段３０には、第二の保持手段３５が合体可能となっている。第二の保持手段３５は、たとえば合成樹脂から構成されており、第一の板状部３１と対向する第二の板状部３６を有している。第二の板状部３６は、外観形状がほぼ第一の板状部３１と同じであり、下面３６ａはベース金具２１の上面２１ａと対向する平坦面に形成されている。第二の板状部３６の下面３６ａは、第二の保持手段３５に捩れ方向の外力が作用した際にはベース金具２１の上面２１ａとの接触により、第二の保持手段３５が捩られるのを防止する機能を有している。このように、第二の板状部３６の下面３６ａは、光ケーブル１１の軸心まわり方向の捩れを防止する捩れ防止手段としての機能を有する。
【００２４】
第二の板状部３６の一方の側面には、光ケーブル１の軸方向に延びる複数の突起３８が設けられている。各突起３８は、断面形状が四角形の棒状に形成されており、第一の板状部３１の各角穴３２と対向する位置に設けられている。突起３８は、第二の保持手段３５が第一の保持手段３０と合体した際には、角穴３２および弾性保持部３３に挿入された状態となる。第一の保持手段３０を光ケーブル１の端部に装着した状態において、第二の保持手段３５を第一の保持手段３０に完全に押込んだ際には、弾性保持部３３は突起３８との接触により、収納溝５の内壁面５ａに押付けられるようになっている。
【００２５】
第二の板状部３６の他方の側面には、ベース金具２１の貫通穴２３に挿入可能な雄ネジ３７が形成されている。第二の保持手段３５のほぼ中央には、光ケーブル１のテンションメンバ４が挿入可能な第二の固定用穴（挿通孔）３７ｂが形成されている。第二の固定用穴３７ｂは、第二の板状部３６および雄ネジ３７の軸心を光ケーブル１の軸方向に貫通している。雄ネジ３７のネジ部側面には、ボルト４０の端部が進入可能な押圧用穴３７ａが形成されている。押圧用穴３７ａは、第二の固定用穴３７ｂの内周面に開口している。雄ネジ３７の先端部には、円形ナット４１が取付け可能となっている。円形ナット４１の軸心には、雄ネジ３７に螺合可能な雌ネジ４１ａが形成されている。後述するように、第二の固定用穴３７ｂに挿入されたテンションメンバ４は、雄ネジ３７の押圧用穴３７ａに進入したボルト４０により第二の固定用穴３７ｂの内周面に固定されるようになっている。ボルト４０は、第二の板状部３６の下面３６ａと同様に光ケーブル１１の軸心まわり方向の捩れを防止する捩れ防止手段としての機能を有する。
【００２６】
つぎに、光ケーブル１の端部をクロージャ１１側に固定する手順について説明する。図７（ａ）に示すように、まず光ケーブル１の端部に第一の保持手段３０が装着される。第一の保持手段３０が光ケーブル１の端部に装着された状態では、スロット３の収納溝５に第一の保持手段３０の弾性保持部３３が挿入され、テンションメンバ４は第一の保持手段３０の第一の固定用穴３４から突出している。その後、第一の保持手段３０には、第二の保持手段３５が第一の保持手段３０と合体し、第一の保持手段３０と第二の保持手段３５は密着した状態となる。第一の保持手段３０と第二の保持手段３５が合体する際には、第二の保持手段３５の突起３８が第一の保持手段３０の弾性保持部３３と接触することになる。図２は、突起３８と弾性保持部３３とが接触する状態を示している。突起３８が矢印Ｆ１方向に移動すると、突起３８の先端部が第一の弾性片３３ａの傾斜面３３ｃおよび第二の弾性片３３ｂの傾斜面３３ｅと接触し、第一の弾性片３３ａと第二の弾性片３３ｂはそれぞれ矢印Ｆ２方向に変位することになる。すなわち、弾性保持部３３は、突起３８と接触する部位がクサビ状に形成されているので、突起３８との接触により第一の弾性片３３ａの外面３３ｄは収納溝５の一方の内壁面５ａに押付けられ、第二の弾性片３３ｂの外面３３ｆは収納溝５の他方の内壁面５ａに押付けられる。したがって、図７（ｂ）に示すように、突起３８が弾性保持部３３に完全に挿入された状態では、第一の弾性片３３ａと第二の弾性片３３ｂは収納溝５の内壁面５ａと十分に密着した状態となり、弾性保持部３３とスロット３との結合強度が高められる。
【００２７】
つぎに、図７（ｃ）に示すように、第二の保持手段３５の雄ネジ３７がベース金具２１の貫通穴２３に挿入され、貫通穴２３から突出した雄ネジ３７の先端部に円形ナット４１が螺合される。これにより、第二の保持手段３５の第二の板状部３６はベース金具２１の柱状支持部２２に密着し、第二の保持手段３５はベース金具２１に固定される。第一の保持手段３０の弾性保持部３３は、クサビ効果により第二の保持手段３５の突起３８と強固に結合されているので、第一の保持手段３０は第二の保持手段３５を介してベース金具２１に強固に固定される。また、テンションメンバ４は、ベース金具２１に螺合されたボルト４０により、第二の保持手段３５の雄ネジ３７の第二の固定用穴３７ｂの内周面に固定される。第二の保持手段３５は、ベース金具２１に固定されているので、テンションメンバ４も第二の保持手段３５を介してベース金具２１に固定される。
【００２８】
このように、スロット３に形成された５つの収納溝５を利用して光ケーブル１の端部をクロージャ１１側のベース金具２１に固定しているので、スロット３の外周面を単に上下方向から固定する構造に比べてスロット３との結合強度を著しく高めることができる。これにより、光ケーブル１に引張り方向および捩れ方向の外力が作用しても、光ケーブル１の端部がクロージャ１１内で光ケーブル固定具２０から外れることは防止され、光ケーブル１の通信機能の信頼性を高めることができる。さらに、スロット３を補強するテンションメンバ４は、第一の保持手段３０および第二の保持手段３５を介してベース金具２１に固定されるので、光ケーブル１の端部における引張り方向および捩れ方向の強度をさらに高めることができる。
【００２９】
第一の保持手段３０の弾性保持部３３は、光ケーブル１の軸心回り方向にスロット３の収納溝５と係合し、第一の保持手段３０の第一の板状部３１の下面３１ａおよび第二の保持手段３５の第二の板状部３６の下面３６ａはベース金具２１の上面２１ａと接触可能であるので、光ケーブル１に捩れ方向の外力が作用した場合でも、この外力による光ケーブル１の光ケーブル固定具２０からの外れを確実に防止することができる。また、従来からあるクロージャ１１のベース金具２１に光ケーブル固定具２０を固定できるため、既存（既製）のクロージャ１１をそのまま使用することが可能となる。
【００３０】
なお、ベース金具２１の貫通穴２３の形状を四角形とし、第二の保持手段３５の雄ネジ３７の貫通穴２３と嵌合する部位の形状を四角形とすれば、光ケーブル１の軸心まわりの捩れに対してさらに強度を高めることが可能となる。
【００３１】
（実施の形態２）
図８は、この発明の実施の形態２を示している。実施の形態２が実施の形態１と異なるところは、第二の保持手段のクロージャ側への支持構造のみであり、その他の部分は実施の形態１に準じるので、準じる部分に実施の形態１と同一の符号を付すことにより、準ずる部分の説明を省略する。後述する他の実施の形態も同様とする。
【００３２】
図８において、第二の保持手段５０には、柱状支持部２２が挿入される筒状部５１が形成されている。筒状部５１は、第二の板状部３６の突起３８が形成される側面と反対側の側面に沿って上下方向に延びており、第二の板状部３６と一体成型されている。第一の保持手段３０の雄ネジ３７が挿入される貫通穴５２は、第二の板状部３６と筒状部５１を貫通している。
【００３３】
このように構成された実施の形態２においては、第二の保持手段５０の筒状部５１が柱状支持部２２に挿入されるので、第二の保持手段５０を大きな面積をもってベース金具２０に固定することができ、実施の形態１の構造よりも第二の保持手段５０のクロージャ１１側への固定強度を高めることができる。また、第二の保持手段５０は、筒状部５１が柱状支持部２２に挿入されることにより、光ケーブル１の軸心まわりの捩れに対しても強度が高くなり、捩れ方向の外力による光ケーブル１のクロージャ内での外れを防止することができる。
【００３４】
（実施の形態３）
図９および図１０は、この発明の実施の形態３を示している。図９に示すように、第二の保持手段３５における第二の板状部３６の突起３８が形成される側面と反対側の側面には、雄ネジ３７および一対の支持板５５が設けられている。支持板５５は、雄ネジ３７を中心として左右に配置されている。雄ネジ３７の軸心には、テンションメンバ（図示略）が挿入可能な第二の固定用穴３７ｂが形成されており、雄ネジ３７の先端から突出したテンションメンバは、たとえば雄ネジ３７に螺合されるロックネジ（図示略）によって雄ネジ３７の先端部に固定されるようになっている。支持板５５には、第二の保持手段３５をクロージャ側に固定するためのボルト１５が挿通されるボルト穴５５ａが形成されている。図１０に示すように、支持板５５は、クロージャ側に固定された上側固定板１３と下側固定板１４との間に位置しており、ボルト１５を介して上側固定板１３と下側固定板１４に連結されている。
【００３５】
このように構成された実施の形態３においては、第二の保持手段３５の支持板５５は、上側固定板１３と下側固定板１４とを介してクロージャ側に固定されることになり、第二の保持手段３５を実施の形態１、２のようにベース金具２１を用いることなく、クロージャ側に固定することができる。したがって、実施の形態１、２の場合よりも光ケーブルの端部の固定構造を簡素化することが可能となる。
【００３６】
以上、この発明の実施の形態を詳述してきたが、具体的な構成はこれらの実施の形態に限られるものではなく、この発明の要旨を逸脱しない範囲の設計の変更等があっても、この発明に含まれる。例えば、実施の形態１では、スロット３に形成される収納溝５の数を５つとしているが、収納溝５の数はこれより多くてもよいし少なくてもよい。また，ケーブルを８心テープとしているが，樹脂系の収納溝付スペーサを有しているケーブルであれば，８心以外でもよい。また、収納溝５の断面形状を長方形とし８心テープ６を１０段重ねで収納しているが、収納溝５の断面形状はテープ心線の形状に応じて台形状などでもよい。さらに、スロット３を補強するテンションメンバ４を単線としているが、テンションメンバ４を複数本のより線で構成する光ケーブル１であっても適用可能である。
【００３７】
また、実施の形態１では、弾性保持部３３における収納溝５との接触部位の形状を平面としているが、図１１に示すように、鋸歯状の係合面３３ｇを弾性保持部３３における収納溝５との接触部位に形成することや、図１２に示すように、複数の円錐状突起３３ｈを弾性保持部３３における収納溝５との接触部位に形成することにより、弾性保持部３３と収納溝５の内壁面５ａとの結合強度をさらに高めることが可能となる。
【図面の簡単な説明】
【００３８】
【図１】本発明の実施の形態１に係わる光ケーブル固定具の分解斜視図である。
【図２】図１の光ケーブル固定具における第一の保持手段の弾性保持部の拡大断面図である。
【図３】図１の光ケーブル固定具における第二の保持手段の要部断面図である。
【図４】図１の光ケーブルのスロットの拡大断面図である。
【図５】図４のスロットの収納溝に収納される８心テープの拡大断面図である。
【図６】図１の光ケーブルの端部が収納されるクロージャの取付け状態を示す正面図である。
【図７】図１の光ケーブルの端部をクロージャ側に固定する手順を示す作業工程図である。
【図８】本発明の実施の形態２に係わる光ケーブル固定具の分解斜視図である。
【図９】本発明の実施の形態３に係わる光ケーブル固定具における第二の保持手段の斜視図である。
【図１０】図９の第二の保持手段をクロージャ側に固定した状態を示す正面図である。
【図１１】図２における弾性保持部の変形例を示す拡大断面図である。
【図１２】図２における弾性保持部の別の変形例を示す拡大断面図である。
【符号の説明】
【００３９】
１          光ケーブル
３          スロット（収納溝付スペーサ）
４          テンションメンバ
５          収納溝
５ａ        内壁面
６          ８心テープ
７          光ファイバ
１１        クロージャ
２０        光ケーブル固定具
２１        ベース金具
２２        柱状支持部
２３        貫通穴
３０        第一の保持手段
３３        弾性保持部
３３ａ      第一の弾性片
３３ｂ      第二の弾性片
３５        第二の保持手段
３７        雄ネジ
３８        突起
４０        ボルト
４１        円形ナット
【図１】
2008292512.tif 000003
【図２】
2008292512.tif 000004
【図３】
2008292512.tif 000005
【図４】
2008292512.tif 000006
【図５】
2008292512.tif 000007
【図６】
2008292512.tif 000008
【図７】
2008292512.tif 000009
【図８】
2008292512.tif 000010
【図９】
2008292512.tif 000011
【図１０】
2008292512.tif 000012
【図１１】
2008292512.tif 000013
【図１２】
2008292512.tif 000014